(57)【要約】【課題】  地中から地上に立ち上げ配管された金属製管を的確かつ容易に保護することができる、金属製管の保護カバーを提供する。【解決手段】  保護カバー３は、筒状のカバー体５と、環状または筒状の止水体６と、袋ナット７とを備える。カバー体５は、耐腐食性材料からなり、金属製管２の地中１ａから地上１ｂにかけての部分を覆うよう、金属製管２の外周側に嵌められる。止水体６は、ゴム製であって、カバー体５の上端部５ａに設けられ、そのカバー体５とともに、金属製管２の外周側に嵌められる。袋ナット７は、止水体６の外周側に嵌められて、止水体６に設けられたねじ部Ｘ１に螺合する。そこで、袋ナット７の、ねじ部Ｘ１へのねじ込みにより、止水体６が袋ナット７に押圧されて金属製管２に密着し、金属製管２とカバー体５との間が止水される。【選択図】  図２
2015001244.tif 000002
【特許請求の範囲】
【請求項１】
地中から地上に立ち上げ配管された金属製管を保護する保護カバーであって、
前記金属製管の地中から地上にかけての部分を覆うよう、前記金属製管の外周側に嵌められる、耐腐食性材料からなる筒状のカバー体と、
前記カバー体の上端部に設けられ、そのカバー体とともに、前記金属製管の外周側に嵌められる、ゴム製であって環状または筒状の止水体と、
前記止水体の外周側に嵌められて、前記カバー体と前記止水体とを備える保護カバー本体に設けられたねじ部に螺合する、袋ナットとを、備え、
前記袋ナットの、前記ねじ部へのねじ込みにより、前記止水体が前記袋ナットに押圧されて前記金属製管に密着し、前記金属製管と前記カバー体との間が止水されることを特徴とする、金属製管の保護カバー。
【請求項２】
前記ねじ部は、前記止水体の外周面に設けられる、請求項１に記載の金属製管の保護カバー。
【請求項３】
地中から地上に立ち上げ配管された金属製管と、
前記金属製管の地中から地上にかけての部分を覆うよう、前記金属製管の外周側に嵌められた、耐腐食性材料からなる筒状のカバー体と、
前記カバー体の上端部に設けられ、そのカバー体とともに、前記金属製管の外周側に嵌められた、ゴム製であって環状または筒状の止水体と、
前記止水体の外周側に嵌められて、前記カバー体と前記止水体とを備える保護カバー本体に設けられたねじ部にねじ込まれた、袋ナットとを、備え、
前記袋ナットの、前記ねじ部へのねじ込みにより、前記止水体が前記袋ナットに押圧されて前記金属製管に密着し、前記金属製管と前記カバー体との間が止水されてなることを特徴とする、金属製管の立ち上げ配管構造。
【発明の詳細な説明】
【技術分野】
【０００１】
この発明は、地上に立ち上がった金属製管を保護する保護カバー、およびその金属製管の立ち上げ配管構造に関するものである。
【背景技術】
【０００２】
従来、例えば、道路沿いに設置される金属製管としての支柱を、融雪剤等による腐食から保護するために、支柱の表面に、樹脂溶射法により溶射樹脂被膜を形成することがあった（特許文献１参照）。また、この支柱に対し、筒状のカバーを被せるとともに、支柱とカバーとの間に防錆剤を充填し、かつ、その上部を封止材で覆うことで、支柱を保護することもあった（特許文献２参照）。
【先行技術文献】
【特許文献】
【０００３】
【特許文献１】特開２０１０−６５５０９号公報
【特許文献２】特開２００１−７３３２６号公報
【発明の概要】
【発明が解決しようとする課題】
【０００４】
しかし、前記従来の、金属製管としての支柱の表面に溶射樹脂被膜を形成する方法にあっては、その被膜が破れると、その破れた部分から腐食が進行する虞があった。また、支柱に筒状のカバーを被せて、それらの間に防錆剤を充填したり上部を封止材で覆ったりする方法においては、その作業が非常に面倒であり、その改善が望まれた。
【０００５】
この発明は、上記した従来の欠点を解決するためになされたものであり、その目的とするところは、金属製管を的確かつ容易に保護することができる、金属製管の保護カバー、および金属製管の立ち上げ配管構造を提供することにある。
【課題を解決するための手段】
【０００６】
この発明に係る、金属製管の保護カバー、および金属製管の立ち上げ配管構造は、前記目的を達成するために、次の構成からなる。すなわち、
請求項１に記載の発明に係る金属製管の保護カバーは、地中から地上に立ち上げ配管された金属製管を保護する保護カバーである。この保護カバーは、筒状のカバー体と、環状または筒状の止水体と、袋ナットとを備える。ここで、カバー体は、耐腐食性材料からなり、前記金属製管の地中から地上にかけての部分を覆うよう、前記金属製管の外周側に嵌められる。止水体は、ゴム製であって、前記カバー体の上端部に設けられ、そのカバー体とともに、前記金属製管の外周側に嵌められる。袋ナットは、前記止水体の外周側に嵌められて、前記カバー体と前記止水体とを備える保護カバー本体に設けられたねじ部に螺合する。そこで、前記袋ナットの、前記ねじ部へのねじ込みにより、前記止水体が前記袋ナットに押圧されて前記金属製管に密着し、前記金属製管と前記カバー体との間が止水される。
【０００７】
この保護カバーによると、カバー体の上端部に止水体が設けられる保護カバー本体は、そのカバー体が金属製管の地中から地上にかけての部分を覆うよう、金属製管の外周側に嵌められる。そして、袋ナットが、止水体の外周側に嵌められ、保護カバー本体のねじ部にねじ込まれることで、止水体が袋ナットに押圧されて金属製管に密着し、金属製管とカバー体との間が止水される。すなわち、地上に露出するカバー体の上端部における、金属製管とカバー体との間が、ゴム製の止水体により止水され、金属製管は、的確に保護される。そして、この保護カバーの設置にあたっては、保護カバー本体を金属製管の外周側に嵌め、袋ナットを保護カバー本体にねじ込めばよく、この金属製管を容易に保護することができる。
【０００８】
また、請求項２に記載の発明に係る金属製管の保護カバーのように、請求項１に記載の保護カバーにおいて、前記ねじ部は、前記止水体の外周面に設けられてもよい。こうして、ねじ部を、ゴム製である止水体の外周面に設けることで、このねじ部と袋ナットとがしっかりと密着し、袋ナットが不用意に緩むことがない。
【０００９】
また、請求項３に記載の発明に係る金属製管の立ち上げ配管構造は、地中から地上に立ち上げ配管された金属製管と、筒状のカバー体と、環状または筒状の止水体と、袋ナットとを備える。ここで、カバー体は、耐腐食性材料からなり、前記金属製管の地中から地上にかけての部分を覆うよう、前記金属製管の外周側に嵌められている。止水体は、ゴム製であって、前記カバー体の上端部に設けられ、そのカバー体とともに、前記金属製管の外周側に嵌められている。袋ナットは、前記止水体の外周側に嵌められて、前記カバー体と前記止水体とを備える保護カバー本体に設けられたねじ部にねじ込まれている。そこで、前記袋ナットの、前記ねじ部へのねじ込みにより、前記止水体が前記袋ナットに押圧されて前記金属製管に密着し、前記金属製管と前記止水体との間が止水されている。
【００１０】
この立ち上げ配管構造によると、カバー体の上端部に止水体が設けられる保護カバー本体は、そのカバー体が金属製管の地中から地上にかけての部分を覆うよう、金属製管の外周側に嵌められる。そして、袋ナットが、止水体の外周側に嵌められ、保護カバー本体のねじ部にねじ込まれることで、止水体が袋ナットに押圧されて金属製管に密着し、金属製管とカバー体との間が止水される。すなわち、地上に露出するカバー体の上端部における、金属製管とカバー体との間が、ゴム製の止水体により止水され、金属製管は、的確に保護される。そして、この保護カバーの設置にあたっては、保護カバー本体を金属製管の外周側に嵌め、袋ナットを保護カバー本体にねじ込めばよく、この金属製管を容易に保護することができる。
【発明の効果】
【００１１】
この発明に係る、金属製管の保護カバー、および金属製管の立ち上げ配管構造によれば、カバー体で、金属製管の地中から地上にかけての部分を覆い、止水体と袋ナットとで、カバー体の上端部を止水することで、金属製管を的確かつ容易に保護することができる。
【図面の簡単な説明】
【００１２】
【図１】この発明の一実施の形態の、正面図である。
【図２】同じく、図１における要部拡大図である。
【図３】同じく、保護バーの拡大正面図である。
【発明を実施するための形態】
【００１３】
以下、この発明に係る金属製管の保護カバー、および金属製管の立ち上げ配管構造を実施するための形態を図面に基づいて説明する。
【００１４】
図１〜図３は、本発明の一実施の形態を示す。図中符号１ａは、地中、１ｂは、地上を示す。２は、地中１ａから地上１ｂに立ち上げ配管された金属製管を示す。３は、前記金属製管２を保護する保護カバーを示す。また、４は、前記金属製管２の立ち上げ配管構造を示す。
【００１５】
保護カバー３は、筒状のカバー体５と、環状または筒状の止水体６と、袋ナット７とを備える。ここで、カバー体５は、耐腐食性材料からなり、金属製管２の地中１ａから地上１ｂにかけての部分を覆うよう、金属製管２の外周側に嵌められる。止水体６は、ゴム製であって、カバー体５の上端部５ａに設けられ、そのカバー体５とともに、金属製管２の外周側に嵌められる。そして、カバー体５と止水体６とを備える保護カバー本体Ｘに、ねじ部Ｘ１が設けられ、袋ナット７は、止水体６の外周側に嵌められて、そのねじ部Ｘ１に螺合する。そこで、袋ナット７の、前記ねじ部Ｘ１へのねじ込みにより、止水体６が袋ナット７に押圧されて金属製管２に密着し、金属製管２とカバー体５との間が止水される。
【００１６】
立ち上げ配管構造４にあっては、地中１ａから地上１ｂに立ち上げ配管された金属製管２と、筒状のカバー体５と、環状または筒状の止水体６と、袋ナット７とを備える。ここで、カバー体５は、耐腐食性材料からなり、金属製管２の地中１ａから地上１ｂにかけての部分を覆うよう、金属製管２の外周側に嵌められている。止水体６は、ゴム製であって、カバー体５の上端部５ａに設けられ、そのカバー体５とともに、金属製管２の外周側に嵌められている。そして、カバー体５と止水体６とを備える保護カバー本体Ｘに、ねじ部Ｘ１が設けられ、袋ナット７は、止水体６の外周側に嵌められて、そのねじ部Ｘ１にねじ込まれている。そこで、袋ナット７の、前記ねじ部Ｘ１へのねじ込みにより、止水体６が袋ナット７に押圧されて金属製管２に密着し、金属製管２とカバー体５との間が止水されている。
【００１７】
具体的には、金属製管２は、電線保護管（電線管）であって、例えば、ポリエチレン等の合成樹脂が被覆された鋼管（ライニング鋼管）からなる。もっとも、金属製管２は、電線保護管でなくとも、給水管とかガス管等の流体管や、支柱用の管であってもよい。さらに、金属製管２は、ライニング管でなくともよく、また、鋼以外の金属からなっていてもよい。
【００１８】
保護カバー３にあっては、カバー体５は、例えば、塩化ビニル樹脂管が適宜長さに切断されて形成される。このカバー体５は、金属製管２の外周側に嵌められ、一部が地中１ａに埋設され、一部が地上１ｂに露出するように配置される。
【００１９】
止水体６は、その延びる方向の一方側（下側）が、カバー体５と嵌合するカバー体嵌合部６ａとなり、他方側（上側）が、袋ナット７と嵌合するナット嵌合部６ｂとなっている。そして、これらカバー体嵌合部６ａとナット嵌合部６ｂとの間に、外方に突出する鍔６ｃが設けられ、この鍔６ｃが、カバー体５の上端面に当接する。ここで、止水体６は、カバー体嵌合部６ａおよび鍔６ｃがカバー体５に接着されることで、そのカバー体５に固定される。そこで、図示実施の形態においては、これらカバー体５と止水体６とで保護カバー本体Ｘが構成される。
【００２０】
ナット嵌合部６ｂは、先端側に、袋ナット７に押圧される被押圧部６ｄを有し、奥側には、外周面に前記ねじ部Ｘ１（雄ねじ部）が設けられたねじ形成部６ｅを有する。つまり、図示実施の形態においては、袋ナット７と螺合するねじ部Ｘ１は、止水体６の外周面に設けられる。被押圧部６ｄは、その外周面が、先細となるテーパー面６ｆとなっている。詳細には、テーパー面６ｆは、奥側の、先細となる第１テーパー面６ｇと、先端側の、第１テーパー面６ｇよりも急な傾斜で先細となる第２テーパー面６ｈとを有している。また、ナット嵌合部６ｂは、その先端、つまり被押圧部６ｄよりも先端に、薄肉部６ｉを有しており、この薄肉部６ｉにより、袋ナット７の先端７ａと金属製管２との間の隙間が埋められる。
【００２１】
袋ナット７は、例えば合成樹脂製であって、一方側（下側）の内周面に、止水体６のねじ部Ｘ１と螺合する雌ねじ部７ｂが設けられ、他方側（上側）の内周面に、止水体６の被押圧部６ｄを押圧する押圧面７ｃを有している。そして、この押圧面７ｃは、被押圧部６ｄのテーパー面６ｆに対応してテーパー状に形成されている。詳細には、押圧面７ｃは、第１テーパー面６ｇに対応してテーパー状に形成されてその第１テーパー面６ｇを押圧する第１押圧面７ｄと、第２テーパー面６ｈに対応してテーパー状に形成されてその第２テーパー面６ｈを押圧する第２押圧面７ｅとを有する。そこで、この袋ナット７の雌ねじ部７ｂを、止水体６のねじ部Ｘ１にねじ込むことにより、止水体６の被押圧部６ｄ（詳しくは、テーパー面６ｆ）が袋ナット７の押圧面７ｃに押圧されて、被押圧部６ｄの内周面が、金属製管２に密着する。
【００２２】
次に、以上の構成からなる金属製管２の保護カバー３、および金属製管２の立ち上げ配管構造４の作用効果について説明する。この保護カバー３および立ち上げ配管構造４によると、耐腐食性材料からなるカバー体５の上端部５ａに止水体６が設けられる保護カバー本体Ｘは、カバー体５が金属製管２の地中１ａから地上１ｂにかけての部分を覆うよう、金属製管２の外周側に嵌められる。そして、袋ナット７が、止水体６の外周側に嵌められ、保護カバー本体Ｘ（図示実施の形態においては、止水体６）のねじ部Ｘ１にねじ込まれることで、止水体６が袋ナット７に押圧されて金属製管２に密着し、金属製管２とカバー体５との間が止水される。すなわち、地上１ｂに露出するカバー体５の上端部５ａにおける、金属製管２とカバー体５との間が、ゴム製の止水体６により止水され、金属製管２は、カバー体５と止水体６（詳しくは、止水体６および袋ナット７）とで、的確に保護される。そして、この保護カバー３の設置にあたっては、保護カバー本体Ｘを金属製管２の外周側に嵌め、袋ナット７を保護カバー本体Ｘ（図示実施の形態においては、止水体６）にねじ込めばよく、この金属製管２を容易に保護することができる。つまり、カバー体５で、金属製管２の地中１ａから地上１ｂにかけての部分を覆い、止水体６と袋ナット７とで、カバー体５の上端部５ａを止水することで、金属製管２を的確かつ容易に保護することができる。
【００２３】
また、ねじ部Ｘ１を、カバー体５ではなく、ゴム製である止水体６の外周面に設けることで、このねじ部Ｘ１と袋ナット７（詳しくは、雌ねじ部７ｂ）とがしっかりと密着し、袋ナット７が不用意に緩むことがない。
【００２４】
なお、本発明は、上述した実施の形態に限定されるわけではなく、その他種々の変更が可能である。例えば、カバー体５は、耐腐食性材料を用いた管であればよく、塩化ビニル樹脂管に限らず、その他の合成樹脂管からなってもよく、また、ステンレス鋼管等からなっていてもよい。
【００２５】
また、ねじ部Ｘ１は、止水体６の外周面に設けられているが、カバー体５の外周面に設けられてもよい。
【００２６】
また、止水体６の被押圧部６ｄにおけるテーパー面６ｆは、傾斜の異なる第１および第２テーパー面６ｇ、６ｈを有するが、一つのテーパー面のみからなってもよい。このことは、袋ナット７の押圧面７ｃにおいても同様である。
【符号の説明】
【００２７】
１ａ  地中
１ｂ  地上
２  金属製管
３  保護カバー
４  立ち上げ配管構造
５  カバー体
５ａ  上端部
６  止水体
７  袋ナット
Ｘ  保護カバー本体
Ｘ１  ねじ部
【図１】
2015001244.tif 000003
【図２】
2015001244.tif 000004
【図３】
2015001244.tif 000005